(57)【要約】 【課題】  帳票の取り扱いを簡単に行うことができ、且つ帳票の汚れや破損を防止することができる梱包箱、梱包体及び梱包用板材を提供すること。【解決手段】  梱包箱１は、天面を構成する外フラップ３１，３２と内フラップ３３，３４とを有しており、外フラップ３１と内フラップ３３との間で保証書を挟み込むよう構成されている。外フラップ３１は、保証書２の記入欄２２に対応する位置に、ミシン目１５により囲まれた連結片１６を有している。販売店において、ミシン目１５を破断して連結片１６を除去すると、開口部１３が形成され、その開口部１３を介して記入欄２２が露出するため、保証書２を梱包箱１から取り出すことなく記入欄２２に必要事項を記入することができる。【選択図】        図６
2005119722.tif 000002
【特許請求の範囲】
【請求項１】
一面が開放され、被梱包物を収容する収容部と、
前記収容部の前記一面を塞ぐための蓋体と
を備え、
前記蓋体が、当該蓋体の内側に帳票が添付された状態で前記帳票の記入欄に対応する位置に、少なくとも一部を除去し又は変形させることにより開口が形成される開口形成部を有することを特徴とする梱包箱。
【請求項２】
前記開口形成部が、破断可能な破断部と、前記破断部を介して前記蓋体の他の部分と連結された連結片とを有することを特徴とする請求項１に記載の梱包箱。
【請求項３】
前記破断部が、ミシン目であることを特徴とする請求項２に記載の梱包箱。
【請求項４】
前記開口形成部が、折り曲げ可能な折り曲げ部と、前記折り曲げ部を介して前記蓋体の他の部分と連結された連結片とを有することを特徴とする請求項１に記載の梱包箱。
【請求項５】
前記開口形成部が、前記折り曲げ部に加え、破断可能な破断部を有することを特徴とする請求項４に記載の梱包箱。
【請求項６】
前記蓋体の内側に重なり合う内側蓋体をさらに備え、
前記内側蓋体が、前記帳票の少なくとも前記記入欄の裏面全体に当接する平面を有することを特徴とする請求項１から５までの何れかに記載の梱包箱。
【請求項７】
前記内側蓋体が、前記帳票を添付する位置を示す位置決め部を有することを特徴とする請求項６に記載の梱包箱。
【請求項８】
前記蓋体に略直線状の境界線を介して接続された壁部をさらに有し、
前記蓋体の前記境界線に略直交する方向における中央部に前記開口形成部が形成されていることを特徴とする請求項１から７までの何れかに記載の梱包箱。
【請求項９】
前記蓋体が、前記開口形成部の少なくとも一部を除去又は変形させる際に指を掛ける部分を有することを特徴とする請求項１から８までの何れかに記載の梱包箱。
【請求項１０】
前記開口の大きさが、前記帳票の前記記入欄よりも大きいことを特徴とする請求項１から９までの何れかに記載の梱包箱。
【請求項１１】
折り曲げることにより梱包箱を組み立てる梱包用板材であって、
一列に連接された複数の壁部と、
前記複数の壁部のうちの一つに接続された外側蓋体と、
前記一つの壁部のうちの他の一つに接続され、組み立てられた状態で前記外側蓋体の内側に重なり合う内側蓋体と
を備え、
前記外側蓋体が、前記内側蓋体の外側に重なり合った状態で、前記内側蓋体に添付される帳票の記入欄に対応する位置に、少なくとも一部を除去し又は変形させることにより開口が形成される開口形成部を有することを特徴とする梱包用板材。
【発明の詳細な説明】
【技術分野】
【０００１】
本発明は、電子機器等の被梱包物を梱包する梱包箱であって帳票（例えば保証書）を添付して使用するもの、及び梱包箱を形成するための梱包用板材に関する。
【背景技術】
【０００２】
電子機器等の製品を出荷する際には、製品を梱包した梱包箱に、その製品についての保証書を添付する。保証書は、袋（例えば、封筒やビニール袋）に収納された状態で、梱包箱の天面部の外フラップと内フラップとの間に差し込まれる。販売店では、製品を購入者に引き渡す際に、梱包箱の外フラップと内フラップとの間から保証書を袋ごと引き抜き、その保証書に必要事項（販売店の名称、住所及び電話番号、並びに販売年月日等）を含む印を押し、またはペン等で必要事項を書き込む。その後、保証書を袋に戻し、再び梱包箱の外フラップと内フラップとの間に差し込む。
【０００３】
しかしながら、外フラップと内フラップとの間隙は狭いため、保証書を引き抜く作業及び再び挿入する作業には時間がかかり、また挿入作業中に保証書を折り曲げてしまう可能性がある。そこで、改善策として、外フラップに切欠き部を設け、保証書を収納した袋を一部露出させるようにした梱包箱が提案されている（例えば、特許文献１参照）。また、外フラップの一部をミシン目により切り起こし可能に構成し、内フラップに保証書を保持する保持孔及び保証書を投入する投入孔を形成した梱包箱も提案されている（例えば、特許文献２参照）。さらに、保証書を引き抜かなくても押印できるよう、保証書の端部に押印部を設け、この押印部を梱包箱の側面に固定したものも提案されている（例えば、特許文献３参照）。
【０００４】
【特許文献１】特開２００１−１０６２２２号公報（第３−４頁、図１参照）
【特許文献２】特開２００１−３５４２３３号公報（第２頁、図８参照）
【特許文献３】特開平１０−５３２３９号公報（第２頁、図２参照）
【発明の開示】
【発明が解決しようとする課題】
【０００５】
しかしながら、特許文献１及び特許文献２に記載された梱包箱は、販売店において保証書の取り出し及び挿入を行わなければならない点で従来と変わりなく、作業に時間がかかるという問題点がある。また、特許文献３に記載されたように保証書の押印部を梱包箱の側面に固定すると、輸送時に保証書が破損し、あるいは汚れが付着し易いという問題がある。
【課題を解決するための手段】
【０００６】
本発明は、上述のような課題を解消するためになされたもので、帳票の取り扱いを簡単に行うことができ、且つ帳票の汚れや破損を防止することができる梱包箱及び梱包用板材を提供することを目的とする。
【０００７】
上記の課題を解決するため、本発明に係る梱包箱は、一面が開放され、被梱包物を収容する収容部と、収容部の前記一面を塞ぐための蓋体とを備えて構成される。蓋体は、当該蓋体の内側に帳票が添付された状態で帳票の記入欄に対応する位置に、少なくとも一部を除去し又は変形させることにより開口が形成される開口形成部を有している。
【発明の効果】
【０００８】
本発明によれば、開口形成部の一部を除去し又は変形させて開口を形成することにより、その開口を介して帳票の記入欄に必要事項を記入（押印、書き込み等）することができる。これにより、販売店等において帳票を梱包箱から取り出す作業及び再び挿入する作業が不要になり、従って帳票の取り扱いが簡単になる。さらに、挿入作業時に誤って帳票を折り曲げてしまう恐れがないため、帳票の破損を防止することができる。また、開口を形成するまでは帳票が覆われているため、製品輸送時における帳票の破損や汚れを防止することができる。
【発明を実施するための最良の形態】
【０００９】
実施の形態１．
図１は、この発明の実施の形態１に係る梱包箱１の製品梱包前の状態を示す斜視図である。梱包箱１は、段ボール等の梱包用板材を折り曲げることにより組み立てられるものである。この梱包箱１は、例えば略直方体状であり、略長方形の底部３０を有している。底部３０の２つの長辺に沿って長側壁３ａ，３ｂが形成され、底部３０の２つの短辺に沿って短側壁３ｃ，３ｄが形成されている。長側壁３ａ，３ｂの上方にそれぞれ連続して、外フラップ（蓋体：外側蓋体）３１，３２が形成されている。短側壁３ｃ，３ｄの上方にそれぞれ連続して、内フラップ（内側蓋体）３３，３４が形成されている。
【００１０】
底部３０上で且つ側壁３ａ〜３ｄの内側には、図示しないクッションを介して、電子機器等の製品（すなわち被梱包物）Ｐが収容される。すなわち、底部３０及び側壁３ａ〜３ｄは、製品Ｐを収容するための収容部を構成している。外フラップ３１，３２及び内フラップ３３，３４は、側壁３ａ〜３ｄ及び底部３０からなる収容部の天面を塞ぐものであり、外フラップ３１，３２が内フラップ３３，３４の外側（すなわち上側）に重なるように閉じられる。
【００１１】
図２は、梱包箱１の一方の外フラップ３２及び内フラップ３３，３４を閉じた状態を示す斜視図である。図３は、梱包箱１の外フラップ３１，３２及び内フラップ３３，３４を全て閉じた状態を示す斜視図である。図２に示すように、内フラップ３３の上面には、製品Ｐ（図１）についての保証書（帳票）２が載置される。保証書２は、例えば略長方形状のシートであり、その一端部２１が梱包箱１の短側壁３ｃに接着剤等により固定されている。なお、保証書２は、必ずしも短側壁３ｃに固定する必要はなく、内フラップ３３に固定することも可能である。保証書２は、販売店において必要事項（例えば、販売店の名称、住所及び電話番号、並びに販売年月日等）を記入する記入欄２２を有している。ここでは、「記入」という用語は、押印、及びペン等による書き込みを含む概念として使用する。
【００１２】
内フラップ３３の表面には、保証書２を取り付ける位置を示すマーク３３ａ（図１）が、例えば印刷により形成されている。ここでは、マーク（位置決め部）３３ａは、保証書２の四隅を示す模様として構成されているが、保証書２の位置を決めが可能であればどのようなものでもよい。なお、図１及び後述する図５を除き、マーク３３ａは図示を省略する。図３に示すように外フラップ３１を閉じると、保証書２は内フラップ３３と外フラップ３１との間で挟まれた状態で保持される。
【００１３】
外フラップ３１には、略四角形の４辺を描くようにミシン目（破断部）１５が形成されており、このミシン目１５により囲まれた部分が略四角形状の連結片１６を構成している。ミシン目１５及び連結片１６は開口形成部を構成しており、ミシン目１５を破断することにより連結片１６が除去され、後述する開口１３が形成される。連結片１６は、外フラップ３１の短側壁３ｃ側の端部近傍に形成されている。図４は、連結片１６と保証書２との位置関係を示す斜視図である。図４に示すように、連結片１６は、外フラップ３１を閉じた状態で保証書２の記入欄２２と重なり合う位置に形成されている。連結片１６の大きさは、保証書２の記入欄２２よりも僅かに大きく設定されている。また、連結片１６の幅は、保証書２の幅よりも小さく設定されていることが好ましい。
【００１４】
連結片１６は、外フラップ３１の幅方向における中央部に形成されている。外フラップ３１の幅方向とは、外フラップ３１と長側壁３ａとの直線状の境界線３１ｂに直交する方向をいう。外フラップ３１の境界線３１ｂの近傍にミシン目１５を形成すると、外フラップ３１の強度が低下し、また、境界線３１ｂとは反対の側の端部近傍にミシン目１５を形成すると、外フラップ３１，３２を粘着テープ等で固定するときに、ミシン目１５上に粘着テープがかかってしまうからである。
【００１５】
連結片１６の４辺のうち、短側壁３ｃから遠い側の１辺（符号１６ａで示す。）の中央部には、略半円状の穴１７が形成されている。穴１７は、上記の辺１６ａから連結片１６の内側にかけて形成されている。この穴１７は、後述するように連結片１６を引き起こすときに、使用者が指を掛ける部分である。なお、穴１７は連結片１６の４辺のうち、どの辺に形成してもよい。また、穴１７を、ミシン目１５よりも外側の部分に形成してもよい。
【００１６】
図５は、梱包箱１を組み立てるための梱包用板材１Ａを示す平面図である。梱包用板材１Ａは、例えば段ボールであり、折り曲げることにより梱包箱１となるものである。長側壁３ａ、短側壁３ｃ、長側壁３ｂ及び短側壁３ｄは、折り曲げ線（破線で示す）を介して一列に連接されている。ここでは、長側壁３ａと短側壁３ｄが両端に位置するものとする。長側壁３ａの側端には、短側壁３ｄに接着される糊しろ３ｅが形成されている。上述したように、長側壁３ａ、短側壁３ｃ、長側壁３ｂ及び短側壁３ｄの上側には、それぞれ折り曲げ線を介して外フラップ３１、内フラップ３３、外フラップ３２及び内フラップ３４が接続されている。また、長側壁３ａ、短側壁３ｃ、長側壁３ｂ及び短側壁３ｄの下側には、組み立てられた状態で底部３０（図１）を形成する底蓋３５，３７，３６，３８がそれぞれ折り曲げ線を介して接続されている。
【００１７】
内フラップ３３には、保証書２（図２）を取り付ける位置を示す上述したマーク３３ａが印刷等により形成されている。このマーク３３ａは、内フラップ３３上の保証書２が添付される範囲Ｒを示すように形成されている。外フラップ３１の連結片１６は、内フラップ３３の上側に重ね合わされた状態で、内フラップ３３のマーク３３ａにより示される範囲Ｒに添付される保証書２の記入欄２２に対応する位置に形成されている。なお、図５に示した梱包用板材１Ａの形状はあくまでも一例であり、組み立てた状態で図１〜４に示す梱包箱１となるものであれば、他の形状であってもよい。
【００１８】
次に、この梱包箱１の使用方法について説明する。製品Ｐの出荷時には、図１に示すように製品Ｐを側壁３ａ〜３ｄの内側に収容したのち、図２に示すように内フラップ３３，３４を閉じる。次いで、保証書２の端部２１を短側壁３ｃに接着剤により貼り付け、保証書２の端部２１以外の部分を内フラップ３３上に載せ、外フラップ３１，３２を閉じる。これにより、保証書２は内フラップ３３と外フラップ３１との間で挟まれた状態となる。また、保証書２の記入欄２２は、外フラップ３３に形成された連結片１６に対向する。この状態で、梱包箱１は各販売店等に輸送される。
【００１９】
販売店で、梱包箱１に収容された製品Ｐを購入者に引き渡す際には、保証書２の記入欄２２に必要事項を記入する必要がある。このときには、図６（ａ）に示すように、連結片１６の穴１７に指を掛け、連結片１６を引き起こすように力を加える。これにより、連結片１６の周囲のミシン目１５が破断し、図６（ｂ）に示すように連結片１６が外フラップ３１から除去される。外フラップ３１の連結片１６が除去された部分は、略四角形状の開口部１３となる。開口部１３を介して保証書２の記入欄２２が梱包箱１の外部に露出するため、記入欄２２に必要事項を記入（例えば、押印、書き込み等）することができる。さらに、保証書２の少なくとも記入欄２２の裏面全体が平面（内フラップ３３の上面）で支持されているため、記入欄２２への記入を確実に行うことができる。
【００２０】
なお、購入者が受け取った梱包箱１を持ち帰る際には、保証書２の記入欄２２は外部に露出しているが、梱包箱を大量に長距離輸送する製品出荷時とは異なり、購入者は一つの梱包箱を比較的短い距離だけ持ち運ぶのが一般的であるため、保証書２の記入欄２２が汚れ、あるいは破損する可能性は小さい。また、連結片１６の幅が保証書２の幅より僅かに小さく設定されているため、梱包箱１をどのような姿勢で持ち帰っても、連結片１６から保証書２が脱落することがない。
【００２１】
以上説明したように、この実施の形態１に係る梱包箱１によれば、保証書２を梱包箱１から取り出すことなく、記入欄２２に必要事項を記入することができる。従って、保証書２を梱包箱１から取り出す作業、及び保証書２を再び梱包箱に挿入する作業が不要になり、梱包箱１の取り扱いが簡単になる。また、保証書２を梱包箱１に挿入するときに保証書２を折り曲げてしまうという事態を防止することができる。
【００２２】
さらに、販売店で連結片１６を除去するまでは、保証書２の記入欄２２は連結片１６によって覆われているため、梱包箱１を輸送等する際に記入欄２２が汚れ、あるいは破損することを防止することができる。
【００２３】
また、ミシン目１５を破断することにより開口１３が形成されるよう構成したので、作業者が簡単に開口１３を形成することができる。加えて、ミシン目１５を破断する際に指を掛ける穴１７を設けたので、作業者によるミシン目１５の破断操作がより簡単になる。
【００２４】
加えて、内フラップ３３に保証書２を位置決めするためのマーク３３ａを設けたので、製品梱包の際、連結片１６と保証書２の記入欄２２とが正確に対応するように、保証書２を添付することができる。また、内フラップ３３の上面が保証書２の記入欄２２の裏面全体に当接しているので、記入欄２２への押印や書き込みを確実に行うことができる。
【００２５】
さらに、外フラップ３１の連結片１６が保証書２の記入欄２２よりも大きく構成されているため、記入欄２２の全体に必要事項を記入することができる。また、外フラップ３１の幅方向中央部に連結片１６が形成されているため、外フラップ３１を固定するための粘着テープがミシン目１５にかかってしまうことを防止でき、また、外フラップ３１の強度が低下することを防止できる。
【００２６】
図５に示した梱包用板材１Ａによれば、この梱包用板材１Ａを組み立てることで、上記各効果を奏する梱包箱１を得ることができる。
【００２７】
なお、上述した実施の形態１では、連結片１６を外フラップ３１の長手方向端部から離れた位置に形成したが、図７（ａ）に示すように、連結片１６の１辺が外フラップ３１の長手方向端部３１ａと一致するようにしてもよい。この場合には、連結片１６の周囲の３辺にミシン目１５を形成するだけでよい。また、上述した実施の形態１では、連結片１６を囲むようにミシン目１５を形成したが、このような構成に限らず、少なくとも一部を除去することにより開口１３を形成する構成であればよい。従って、例えば、図７（ｂ）に示すように、連結片１６の周囲の３辺に溝１９を設け、残りの１辺をミシン目１９ａとしてもよい。
【００２８】
実施の形態２．
図８は、この発明の実施の形態２に係る梱包箱１０を示す斜視図である。実施の形態１に係る梱包箱１では、連結片１６を完全に除去することにより開口１３を形成していたのに対し、実施の形態２に係る梱包箱１０では、連結片１８を折り曲げることにより開口１３を形成する。すなわち、実施の形態２では、略四角形状の連結片１８の３辺にのみミシン目（破断部）１５が形成されており、残りの１辺は、連結片１８の周囲の部分とつながった折り曲げ可能な折り曲げ部４を構成している。折り曲げ部４は、連結片１８の穴１７が形成された辺１８ａとは反対の側の辺に形成されている。連結片１８は、実施の形態１の連結片１６と同様、外フラップ３１の幅方向中央部に形成されている。
【００２９】
実施の形態２に係る梱包箱１０の構成は、連結片１８の形状を除き、実施の形態１で説明した梱包箱１と同様である。すなわち、梱包箱１０では、外フラップ３１と内フラップ３３（図１）との間で保証書２が保持され、内フラップ３３（図１）は、保証書２の少なくとも記入欄２２の離面全体を平面で支持している。内フラップ３３には、また、図１に示したようなマーク３３ａが形成されている。なお、実施の形態２に係る梱包箱１０を組立てるための梱包用板材は、上述した連結部１８の形状を除き、図５に示した梱包用板材１Ａと同様である。
【００３０】
図９は、実施の形態２に係る梱包箱１０における連結片１８及びその近傍を拡大して示す斜視図である。図９（ａ）に示すように、連結片１８の穴１７に指を掛け、連結片１８を引き起こすように力（矢印Ａで示す。）を加えると、ミシン目１５が破断し、図９（ｂ）に示すように折り曲げ部４が谷折りに折り曲げられる。これにより、外フラップ３１において連結片１８が引き起こされた部分が開口部１３となる。この開口部１３を介して、保証書２の記入欄２２（図６（ｂ））が梱包箱１０の外部に露出するため、記入欄２２に必要事項を記入することができる。
【００３１】
この実施の形態２に係る梱包箱１０によれば、実施の形態１と同様、保証書２を梱包箱１０から取り出すことなく、記入欄２２に必要事項を記入することができるため、保証書２を梱包箱１０から取り出す作業、及び保証書２を再び梱包箱に挿入する作業が不要になり、梱包箱１０の取り扱いが簡単になる。また、保証書２を梱包箱１０に再び挿入するときに保証書２を折り曲げてしまうという事態を防止することができる。さらに、梱包箱１０を輸送等する際に記入欄２２が汚れ、あるいは破損することを防止することができる。
【００３２】
加えて、この実施の形態２に係る梱包箱１０によれば、保証書２の記入欄２２に必要事項を記入したのち、再び連結片１８を元の位置（記入欄２２を覆う位置）に戻すことができる。従って、保証書２の記入欄２２を連結片１８で覆った状態で、購入者が梱包箱１０を持ち帰ることができる。その結果、記入欄２２の汚れや破損をより確実に防止することができる。
【００３３】
上述した実施の形態２では、連結片１８の３辺に沿ってミシン目１５を形成したが、少なくとも一部を変形させることにより開口１３を形成する構成であればよい。従って、例えば、図１０に示すように、連結片１８の３辺のうち、穴１７の形成された辺だけをミシン目１５とし、他の２辺を溝４１としてもよい。このような構成であっても、連結片１８を折り曲げ部４から折り曲げることにより開口部１３が形成され、保証書２の記入欄２２に必要事項を記入することができる。
【００３４】
なお、上述した実施の形態１及び２では、外フラップ３１，３２が梱包箱１，１０の天面を構成しているが、外フラップ３１，３２が梱包箱１，１０の側面を構成するようにしてもよい。
【００３５】
また、上述した実施の形態１及び２では、外フラップ３１と内フラップ３３との間で保証書２が挟まれているが、内フラップ３３を有さない梱包箱の場合には、外フラップ３１と梱包箱内の他の部材との間で保証書２が挟まれるよう構成してもよい。
【００３６】
また、上述した実施の形態１及び２では、梱包箱に保証書２を添付したが、保証書２に限定されるものではなく、外フラップ３１の内側に保持される帳票であって、製品梱包後に何らかの情報を記入する必要があるものであればよい。
【００３７】
また、上述した実施の形態１及び２では、連結片１６，１８を略四角形状としたが、保証書２の記入欄２２を露出させるために必要な開口が形成できれば、どのような形状であってもよい。また、実施の形態２における折り曲げ部４は略四角形の１辺に限らず、連結片１８を折り曲げることにより開口１３を形成することができる形状であれば、どのような形状であってもよい。
【００３８】
また、実施の形態１及２では、連結片１６，１８に穴１７を形成したが、必ずしも穴１７を形成する必要はなく、指を掛けられるような係合部であればよい。また、図１に示した構成では、外フラップ３１，３２の長手方向寸法が内フラップ３３，３４よりも長いが、外フラップ３１，３２の長手方向寸法が内フラップ３３，３４よりも短く、あるいは等しくてもよい。さらに、梱包箱１，１０の形状は、略直方体には限定されず、例えば立方体であってもよい。
【図面の簡単な説明】
【００３９】
【図１】この発明の実施の形態１に係る梱包箱の製品梱包前の状態を示す斜視図である。
【図２】この発明の実施の形態１に係る梱包箱の一方の外フラップのみを開いた状態を示す斜視図である。
【図３】この発明の実施の形態１に係る梱包箱の製品梱包後の状態を示す斜視図である。
【図４】この発明の実施の形態１に係る梱包箱の要部を拡大して示す斜視図である。
【図５】この発明の実施の形態１に係る梱包箱を組み立てるための梱包用板材を示す平面図である。
【図６】この発明の実施の形態１に係る梱包箱の使用方法を説明するための斜視図である。
【図７】この発明の実施の形態１の変形例に係る梱包箱の要部を拡大して示す平面図である。
【図８】この発明の実施の形態２に係る梱包箱を示す斜視図である。
【図９】この発明の実施の形態２に係る梱包箱の使用方法を説明するための斜視図である。
【図１０】この発明の実施の形態２の変形例に係る梱包箱の要部を拡大して示す平面図である。
【符号の説明】
【００４０】
１，１０  梱包箱、  １Ａ  梱包用板材、  １３  開口部、  １５  ミシン目、  １６，１８  連結片、  １７  穴、  １９  溝、  ２  保証書、  ２１  端部、  ２２  記入欄、  ３ａ，３ｂ  長側壁、  ３ｃ，３ｄ  短側壁、  ３０  底部、  ３１，３２  外フラップ、  ３３，３４  内フラップ、  ４  折り曲げ部。
【図１】
2005119722.tif 000003
【図２】
2005119722.tif 000004
【図３】
2005119722.tif 000005
【図４】
2005119722.tif 000006
【図５】
2005119722.tif 000007
【図６】
2005119722.tif 000008
【図７】
2005119722.tif 000009
【図８】
2005119722.tif 000010
【図９】
2005119722.tif 000011
【図１０】
2005119722.tif 000012